(57)【要約】【課題】本発明は、関節スペーサプロテーゼ及びそれを有する関節プロテーゼを提供する。【解決手段】関節スペーサプロテーゼは、関節を形成する第１の骨と第２の骨との間に設置される弾性スペーサを含み、弾性スペーサは、第１の骨に向かう第１の接触面、第２の骨に向かう第２の接触面を有する弾性基体と、弾性基体内に分布し、第１の接触面と第２の接触面とを連通させ、弾性基体の硬さが中央部から縁部へと徐々に上昇して弾性基体の弾性が中央部から縁部へと徐々に低下するように所定の方式で配置されている複数の関節液通路と、を含む。本発明の技術的解決手段は、従来技術において関節骨と関節スペーサプロテーゼとの間の接触面積が保証されず、局所の圧力度が大き過ぎ、関節スペーサプロテーゼが深刻に摩耗され、患者の関節プロテーゼの耐用年数を短縮させる可能性があるという問題を効果的に解決する。【選択図】図１
2021514685.tif 000002
【特許請求の範囲】
【請求項１】
関節を形成する第１の骨と第２の骨との間に設置される弾性スペーサ（１０）を含み、前記弾性スペーサ（１０）は、
前記第１の骨に向かう第１の接触面、前記第２の骨に向かう第２の接触面を有する弾性基体と、
前記弾性基体内に分布し、前記第１の接触面と前記第２の接触面とを連通させ、前記弾性基体の硬さが中央部から縁部へと徐々に上昇して前記弾性基体の弾性が中央部から縁部へと徐々に低下するように所定の方式で配置されている複数の関節液通路と、を含むことを特徴とする関節スペーサプロテーゼ。
【請求項２】
前記複数の関節液通路は、前記第１の接触面から前記第２の接触面への方向に沿って配置されてそれぞれが複数の収容室（１１）を含む複数の収容室層と、それぞれが隣接する２つの前記収容室層の間に接続された複数の流通路（１２）と、を含むことを特徴とする請求項１に記載の関節スペーサプロテーゼ。
【請求項３】
前記複数の収容室層の容積は、前記第１の接触面から前記第２の接触面への方向に沿って徐々に小さくなることを特徴とする請求項２に記載の関節スペーサプロテーゼ。
【請求項４】
前記複数の収容室（１１）は、前記第１の接触面から前記第２の接触面への方向に沿って徐々に小さくなることを特徴とする請求項３に記載の関節スペーサプロテーゼ。
【請求項５】
同一の前記収容室層内にある複数の前記収容室（１１）の容積は、中央部から縁部へと徐々に小さくなることを特徴とする請求項２に記載の関節スペーサプロテーゼ。
【請求項６】
前記関節液通路はさらに、少なくとも１つの前記収容室（１１）及び／又は少なくとも１つの前記流通路（１２）と連通し、内部に逆止弁（１４）が設置された流入通路（１３）を含むことを特徴とする請求項２に記載の関節スペーサプロテーゼ。
【請求項７】
前記第１の骨と前記第２の骨との間に設置され、内部に前記弾性スペーサ（１０）が設置された収容溝（２１）を有し、硬さが前記弾性スペーサ（１０）より大きいスペーサ基体（２０）をさらに含むことを特徴とする請求項１−６のいずれか一項に記載の関節スペーサプロテーゼ。
【請求項８】
前記弾性基体の周方向側壁に位置決め凸部（１５）が設置され、前記収容溝（２１）の、前記位置決め凸部（１５）に対応する位置に位置決め溝（２５）が設置されることを特徴とする請求項７に記載の関節スペーサプロテーゼ。
【請求項９】
前記スペーサ基体（２０）の底面に流通溝（２６）が設置され、前記収容溝（２１）の底部に連通孔（２７）が設置され、かつ前記流通溝（２６）と連通することにより、関節液が前記流通溝（２６）及び前記連通孔（２７）を通過して前記収容溝（２１）に入ることができることを特徴とする請求項７に記載の関節スペーサプロテーゼ。
【請求項１０】
請求項６に記載の関節スペーサプロテーゼであり、前記スペーサ基体（２０）はさらに、入口が前記スペーサ基体（２０）の頂面まで延伸して出口が給液通路と連通する連通通路（２８）を含むことを特徴とする請求項７に記載の関節スペーサプロテーゼ。
【請求項１１】
前記スペーサ基体（２０）の周方向の外側に設置された補強リング（３０）をさらに含むことを特徴とする請求項７に記載の関節スペーサプロテーゼ。
【請求項１２】
前記補強リング（３０）は、前記スペーサ基体（２０）と接触して融合できる浸入層（３３）と、前記関節周囲の軟組織が成長して入ることができる整合層（３１）と、前記浸入層（３３）と前記整合層（３１）との間に設置された隔離層（３２）と、を含むことを特徴とする請求項１１に記載の関節スペーサプロテーゼ。
【請求項１３】
前記浸入層（３３）と前記整合層（３１）は、いずれも多孔質構造であり、前記浸入層（３３）の多孔質構造の孔径が５００μｍ〜３０００μｍにあり、前記整合層（３１）の多孔質構造の孔径が４００μｍ〜２０００μｍにあることを特徴とする請求項１２に記載の関節スペーサプロテーゼ。
【請求項１４】
前記弾性スペーサ（１０）は、弾性を有する透明な高分子材料又は複合材料で製造されることを特徴とする請求項１に記載の関節スペーサプロテーゼ。
【請求項１５】
関節スペーサプロテーゼを含む関節プロテーゼであって、前記関節スペーサプロテーゼは、請求項１−１４のいずれか一項に記載の関節スペーサプロテーゼであることを特徴とする関節プロテーゼ。
【請求項１６】
前記関節プロテーゼは、さらに脛骨プラトープロテーゼと、大腿骨顆部プロテーゼを含む膝関節プロテーゼであることを特徴とする請求項１４に記載の関節プロテーゼ。
【発明の詳細な説明】
【技術分野】
【０００１】
本発明は、人工プロテーゼ置換の分野に関し、具体的には、関節スペーサプロテーゼ及びそれを有する関節プロテーゼに関する。
【背景技術】
【０００２】
従来の人工膝関節置換術に使用される膝関節プロテーゼについては、通常、大腿骨側に医療用金属、例えばステンレス鋼又はコバルト合金で製造された大腿骨顆部プロテーゼを使用し、脛骨側に超高分子量ポリエチレンで製造されたスペーサを使用しいている。膝関節運動学上の需要のために、大腿骨顆部プロテーゼの金属関節面は、一般的には複雑で連続的な空間曲面に設計されるが、脛骨側の超高分子量ポリエチレン関節面スペーサは、直立時の安定を保証するために、特定な位置（例えば直立位置）の場合に大腿骨関節面と高い一致度を有する曲面に設計するほかはない。しかしながら、膝関節の動きに伴い、大腿骨顆部プロテーゼと関節面スペーサとの間の接触面積が理想値より遥かに小さくなることで、大腿骨顆部プロテーゼと関節面スペーサとの間に圧力度が高くなり、関節面スペーサの摩耗損傷を加速することがある。また、術後に関節の周囲の靭帯及び軟組織と埋め込まれた人工関節プロテーゼとの間には本来の関節生物組織の間のような緊密な関係を確立することができないため、バランスの維持に軟組織に大きく依存する力学的システムである膝関節の安定性が大幅に低下する。
【発明の概要】
【０００３】
本発明は、関節スペーサプロテーゼ及びそれを有する関節プロテーゼを提供して、従来技術において大腿骨顆部プロテーゼと関節スペーサプロテーゼとの間の接触面積が保証されず、局所の圧力度が大き過ぎ、関節スペーサプロテーゼが深刻に摩耗され、患者の関節プロテーゼの耐用年数を短縮させる可能性があるという問題を効果的に解決するとともに、人工関節プロテーゼと人体関節の周囲の軟組織との間の有効な関係を確立して関節の安定を向上させることができる。
【０００４】
上記目的を達成するために、本発明の一態様に係る関節スペーサプロテーゼは、関節を形成する、本発明の関節スペーサプロテーゼと顕著な摺動摩擦関係を形成する第１の骨と本発明の関節スペーサプロテーゼが固定される第２の骨との間に設置される弾性スペーサを含み、弾性スペーサは、第１の骨に向かう第１の接触面、第２の骨に向かう第２の接触面を有する弾性基体と、弾性基体内に分布し、第１の接触面と第２の接触面とを連通させ、弾性基体の硬さが中央部から縁部へと徐々に上昇して弾性基体の弾性が中央部から縁部へと徐々に低下するように所定の方式で配置されている複数の関節液通路と、を含む。
【０００５】
さらに、複数の関節液通路は、第１の接触面から第２の接触面への方向に沿って配置されてそれぞれが複数の収容室を含む複数の収容室層と、それぞれが隣接する２つの収容室層の間に接続された複数の流通路と、を含む。
【０００６】
さらに、複数の収容室層の容積は、第１の接触面から第２の接触面への方向に沿って徐々に小さくなる。
【０００７】
さらに、複数の収容室は、第１の接触面から第２の接触面への方向に沿って徐々に小さくなる。
【０００８】
さらに、同一の収容室層内にある複数の収容室の容積は、中央部から縁部へと徐々に小さくなる。
【０００９】
さらに、関節液通路はさらに、少なくとも１つの収容室及び／又は少なくとも１つの流通路と連通し、内部に逆止弁が設置された流入通路を含む。
【００１０】
さらに、関節スペーサプロテーゼは、第１の骨と第２の骨との間に設置され、内部に弾性スペーサが設置された収容溝を有し、硬さが弾性スペーサより大きいスペーサ基体をさらに含む。
【００１１】
さらに、弾性基体の周方向側壁に位置決め凸部が設置され、収容溝の、位置決め凸部に対応する位置に位置決め溝が設置される。
【００１２】
さらに、スペーサ基体の底面に流れ通過溝が設置され、収容溝の底部に連通孔が設置され、かつ流通溝と連通することにより、関節液が流通溝及び連通孔を通過して収容溝に入ることができる。
【００１３】
さらに、スペーサ基体はさらに、入口がスペーサ基体の頂面まで延伸して出口が給液通路と連通する連通通路を含む。
【００１４】
さらに、関節スペーサプロテーゼは、スペーサ基体の周方向外側に設置された補強リングをさらに含む。
【００１５】
さらに、補強リングの浸入層及び整合層は、いずれも多孔質構造であり、浸入層は、スペーサ基体と接触して融合でき、関節の周囲の軟組織が整合層内に成長して入ることができ、浸入層と整合層との間に隔離層が設置される。
【００１６】
さらに、補強リングの浸入層及び整合層は、いずれも多孔質構造であり、浸入層の多孔質構造の孔径が５００μｍ〜３０００μｍにあり、整合層の多孔質構造の孔径が４００μｍ〜２０００μｍにある。
【００１７】
さらに、弾性スペーサは、弾性を有する透明な高分子材料又は複合材料で製造される。
【００１８】
本発明の別の態様によれば、上記関節スペーサプロテーゼを含む関節プロテーゼを提供する。
【００１９】
さらに、関節プロテーゼは、さらに脛骨プラトープロテーゼと、大腿骨顆部プロテーゼを含む膝関節プロテーゼである。
【００２０】
本発明の技術的解決手段を応用し、弾性スペーサ内に所定の方式で関節液通路を配置し、弾性基体の硬さが中央部から縁部へと徐々に上昇するとともに、弾性が中央部から縁部へと徐々に低下するように、関節液通路の断面形状、孔径、長さ、容積、位置及び配置方向並びに疎密度などのパラメータを調整することにより、弾性スペーサにおける各々異なる所定の部位で異なる弾性及び硬さ指標を実現し、弾性スペーサをできるだけ人体の関節の力学的特性に接近するようにして、関節が動く時に弾性スペーサと関節骨とを十分に接触させ、さらに接触面の間の圧力度を理想的な範囲内に保持し、関節スペーサプロテーゼの使用効果及び耐用年数を保証することができる。また、この補強リングの整合層の孔径が４００μｍ〜２０００μｍの多孔質構造に設計されることにより、術後に関節スペーサプロテーゼの周囲に覆う関節嚢及び本来の靭帯残留などの軟組織が整合部の多孔質構造の孔隙内に入るまで成長して生体型組織整合を形成することができ、術後の治癒過程において、靭帯などの軟組織が多孔質構造の孔隙内に成長して入ることができ、これにより術後の膝関節システムがより安定になることができる。
【図面の簡単な説明】
【００２１】
本願の一部となる明細書の図面は本発明をさらに理解するためのものであり、本発明の例示的な実施例及びその説明は本発明を解釈するためのものであり、本発明を不適に限定するものではない。
【００２２】
【図１】本発明に係る関節スペーサプロテーゼの実施例１の分解構造概略図を示す。
【図２】図１の関節スペーサプロテーゼの組み合わせ状態での断面構造概略図を示す。
【図３】図２の関節スペーサプロテーゼのＣ箇所の局所拡大構造概略図を示す。
【図４】図１の関節スペーサプロテーゼの補強リングのＡ方向の構造概略図を示す。
【図５】図１の関節スペーサプロテーゼのＢ箇所の局所拡大構造概略図を示す。
【図６】図１の関節スペーサプロテーゼの給液原理概略図を示す。
【図７】図１の関節スペーサプロテーゼの給液原理概略図を示す。
【図８】本発明に係る関節スペーサプロテーゼの実施例２の分解構造概略図を示す。
【図９】図８の関節スペーサプロテーゼの異なる姿勢での構造概略図を示す。
【図１０】図８の関節スペーサプロテーゼの異なる姿勢での構造概略図を示す。
【図１１】図８の関節スペーサプロテーゼの異なる姿勢での構造概略図を示す。
【図１２】図８の関節スペーサプロテーゼの弾性スペーサの断面構造概略図を示す。
【図１３】図８の関節スペーサプロテーゼの給液原理概略図を示す。
【図１４】図８の関節スペーサプロテーゼの給液原理概略図を示す。
【図１５】図８の関節スペーサプロテーゼのスペーサ基体の底部構造概略図を示す。
【図１６】本発明に係る関節スペーサプロテーゼの実施例３の分解構造概略図を示す。
【図１７】本発明に係る関節スペーサプロテーゼの実施例４の分解構造概略図を示す。
【発明を実施するための形態】
【００２３】
本願の関節スペーサプロテーゼは、人工関節の置換術に用いるのに適し、関節が動くときに生じた衝撃を吸収し、関節骨の間の摩擦損傷を軽減する。例えば、人体の膝関節内に、大腿骨が脛骨に対して揺動し、回転して脚の曲げ及び回転の動作を実現し、大腿骨の下端（大腿骨顆部）及び脛骨の上端（脛骨プラトー）上の軟骨及び半月板構造が大腿骨と脛骨との間にスペーサの役割を果たす。半月板構造の上面と下面は、それぞれ大腿骨の下端曲面及び脛骨の上端曲面の湾曲傾向に類似し、関節の接触面積を増加させ、関節の安定性を向上させ、圧力度を低下させる。同時に半月板構造はさらに、良好な弾性を有し、適切に変形して衝撃と振盪を吸収し、かつ膝関節が動くときに大腿骨の下端の解剖形態に適応し、膝関節の幾何学的な形態の協調を保証して、膝関節の運動の協調を維持することができる。
【００２４】
従来の人工膝関節置換術に使用される膝関節プロテーゼについては、大腿骨側に通常医療用金属、例えばステンレス鋼又はコバルト合金で製造された大腿骨顆部プロテーゼを使用し、脛骨側に超高分子量ポリエチレンで製造されたスペーサを使用し、スペーサの材料が単一で、構造が単一で、一定の弾性を有するが、原生半月板の構造及び軟骨の変形幅並びに緩衝と摩耗低下の効果を復元することができない。また、超高分子量ポリエチレンで製造されたスペーサは十分な弾性に乏しいため、膝関節が屈曲運動を開始するとき、大腿骨と脛骨との間の位置、角度の変化に伴い、大腿骨顆部プロテーゼとスペーサとの間の有効な接触面積が非常に小さい可能性があり、さらにいくつかの位置で線接触又は点接触しか満足できず、かつこれら位置で局所な高圧が生じて関節面の摩耗を加速させ、さらに膝関節全体の耐用年数に影響を与え、患者の術後生活に影響を与え、また、術後に本来の関節の周囲の靭帯及び軟組織と埋め込まれた人工関節プロテーゼとの間に本来の緊密な関係を失うため、バランスの維持に軟組織に大きく依存する力学的システムである膝関節の安定性が大幅に低下する。本願は、上記問題に対して、スペーサの構造を改良する。
【００２５】
なお、本願における実施例、実施例における特徴は、矛盾しない限り、互いに組み合わせることができる。以下、膝関節を例として、図面及び実施例を参照しながら本発明を詳細に説明する。
【００２６】
図１、図２及び図８に示すように、実施例１の関節スペーサプロテーゼ及び実施例２の関節スペーサプロテーゼは、いずれも弾性スペーサ１０を含み、弾性スペーサ１０は、大腿骨構造と脛骨構造との間に設置され、弾性基体及び弾性基体内に分布する複数の関節液通路を含む。弾性基体は、大腿骨構造に向かう第１の接触面、脛骨構造に向かう第２の接触面を有し、複数の関節液通路は、関節液が弾性基体を通過して弾性基体内で流動できるように、第１の接触面と第２の接触面とを連通させる。複数の関節液通路は、弾性基体の硬さが中央部から縁部へと徐々に上昇して弾性基体の弾性が中央部から縁部へと徐々に低下するように所定の方式で配置されている。
【００２７】
図９に示すように、膝部が荷重せずに自然に伸びている状態で、関節スペーサプロテーゼ２は、脛骨プラトープロテーゼ３に設置され、関節スペーサプロテーゼ２において弾性スペーサ１０の上面が大腿骨顆部プロテーゼ１と貼り合わせられ、図１０に示すように、人体の重量及び衝撃力が関節スペーサプロテーゼ２の弾性スペーサ１０にかかり、弾性スペーサ１０は、圧縮変形して緩衝する役割を果たし、この場合、スペーサ基体２０と弾性スペーサ１０とは共に大腿骨顆部プロテーゼから伝達された力学的荷重を負担し、図１１に示すように、膝関節が屈曲している状態で、弾性スペーサ１０は、局所が受圧して変形し、この場合、外側が比較的に硬さが高くて弾性が低く、内部が弾性が高くて硬さが低いという特性により、弾性スペーサは、不均一な荷重でも大腿骨顆部と相対的に十分な接触面積を保証し、かつ基体２０と共に大腿骨顆部プロテーゼから伝達された力学的荷重を負担することができる。
【００２８】
本実施例の技術的解決手段を応用し、弾性基体の硬さが中央部から縁部へと徐々に上昇するとともに、弾性が中央部から縁部へと徐々に低下するように、弾性スペーサ１０内に所定の方式で関節液通路を配置し、関節液通路の断面形状、孔径、長さ、容積、位置、配置方向及び疎密度などのパラメータを調整することにより、弾性スペーサ１０における各々異なる所定の部位で異なる弾性及び硬さを実現して、弾性スペーサ１０をできるだけ人体の膝関節の力学的特性に接近するようにして、膝関節が動く時に弾性スペーサ１０と大腿骨顆部とを十分に接触させ、さらに接触面の間の圧力度を理想的な範囲内に保持し、関節スペーサプロテーゼの使用効果及び耐用年数を保証することができる。
【００２９】
好ましくは、本実施例の弾性スペーサ１０は、弾性を有する透明な高分子材料又は複合材料で製造される。図２及び図３に示すように、実施例１の弾性スペーサ１０において、関節液通路は、複数の収容室層（Ｔ１、Ｔ２、Ｔ３、Ｔ４）と、複数の流通路１２を含み、収容室層Ｔ１〜収容室層Ｔ４は、第１の接触面から第２の接触面への方向に沿って配置され、各収容室層は、それぞれ複数の収容室１１を含み、流通路１２は、隣接する２つの収容室層の間に接続される。例えば、流通路１２ｂは、収容室層Ｔ１の収容室１１ａと収容室層Ｔ２の収容室１１ｂとを連通させ、流通路１２ｃは、収容室１１ｂと収容室層Ｔ３の収容室１１ｃとを連通させ、流通路１２ｄは、収容室１１ｃと収容室層Ｔ４の収容室とを連通させる。
【００３０】
具体的には、図３に示すように、本実施例の複数の収容室１１は、収容室層Ｔ１から収容室Ｔ４へ徐々に小さくなり、各収容室層の全体的な容積は、第１の接触面から第２の接触面への方向に沿って徐々に小さくなる。関節液通路をこのように配置することにより、弾性基体の第１の接触面に接近する側の弾性が高くなり、第２の接触面に接近する側の弾性が低くなり、第１の接触面と大腿骨顆部との接触に役立つ。
【００３１】
図３〜図７に示すように、本実施例の関節液通路はさらに流入通路１３を含み、流入通路１３が収容室１１と連通することにより、給液通路１３が各収容室層内の各収容室１１、及び各収容室層の間に接続された流通路１２と連通する。さらに、図６及び図７に示すように、流入通路１３内に逆止弁１４が設置され、図７に示すように、弾性スペーサ１０が荷重によって押し付けられて変形するとき、逆止弁１４は、関節液の逆方向の圧力で閉じられ、このときに関節液が上向きに収容室１１及び流通路１２を通過して第１の接触面に排出することのみ可能で、第１の接触面と大腿骨顆部との間の摩擦を低減し、図６に示すように、弾性スペーサ１０の受けた荷重が消えると、弾性基体が復元し、かつ関節液通路内に負圧が形成され、逆止弁１４が開かれ、関節液が流入通路１３を通過して収容室１１及び流通路１２に入ることができる。このように、膝関節が動くときに関節液が補給されて摩擦面へと注入されるという循環を達成することができる。
【００３２】
図１〜図３に示すように、本実施例の関節スペーサプロテーゼは、大腿骨構造と脛骨構造との間に設置され、内部に弾性スペーサ１０が設置された収容溝２１を有し、硬さが弾性スペーサ１０より大きいスペーサ基体２０をさらに含む。好ましい材料の配合方式は、ポリウレタン材料を用いて弾性スペーサを製造することであり、スペーサ基体２０は、超高分子量ポリエチレンを用いて製造され、その収容溝２１の環状縁部が生理学的半月板と類似する機能を果たし、弾性スペーサ１０の支持効果及び耐摩耗性能を向上させることができる。弾性スペーサ１０内に関節液通路など構造は、フェムト秒レーザ技術により透明なポリウレタン材料の内部で彫刻し融蝕して形成され得る。
【００３３】
図３に示すように、関節液を関節液通路に導入するために、本実施例のスペーサ基体２０はさらに、入口がスペーサ基体２０の頂面まで延伸し出口が流入通路１３と連通する連通通路２８を含む。
【００３４】
弾性スペーサ１０を固定するために、図１及び図５に示すように、本実施例の弾性基体の周方向の側壁に位置決め凸部１５が設置され、収容溝２１の、位置決め凸部１５に対応する位置に位置決め溝２５が設置される。弾性スペーサ１０が収容溝２１内に配置された後、位置決め凸部１５は、位置決め溝２５内に伸び込んで弾性スペーサ１０の脱出を防止することができる。
【００３５】
図１に示すように、スペーサ基体２０はさらに、膝蓋骨及びその靭帯と適合する膝蓋骨溝２９を含む。
【００３６】
図１及び図４に示すように、本実施例の関節スペーサプロテーゼは補強リング３０をさらに含み、補強リング３０はスペーサ基体２０の周方向外側の補強リング収容溝２３内に設置され、かつ好ましくは医療用金属材料を採用する。補強リング３０は、スペーサ基体２０の周方向の外側に嵌設され、関節スペーサプロテーゼの結合強度を向上させる。具体的には、本実施例の補強リング３０は、浸入層３３、隔離層３２及び整合層３１を含み、浸入層３３及び整合層３１が多孔質構造を採用する。好ましくは、本実施例の補強リング３０の浸入層３３の孔径が５００μｍ〜３０００μｍにあり、整合層３１の孔径が４００μｍ〜２０００μｍにある。モールディング過程において、スペーサ基体２０を形成する超高分子量ポリエチレン材料は、浸入層３３の多孔質構造内に浸入してスペーサ基体２０と接触融合し、補強リング３０とスペーサ基体２０との間の接続固定を実現することができる。整合層３１が外部に露出し、術後に関節スペーサプロテーゼの周囲の対応する部位を覆う膝関節の靭帯及び軟組織細胞が成長して整合層３１の孔隙内に入って、生物学的組織結合を形成し、このような生物学的結合により脛骨プラトースペーサと関節の周囲の軟組織とが人体の正常な生理学的膝関節に類似する軟組織安定化システムを形成して、埋め込まれた膝関節プロテーゼの安定性を向上させる。隔離層３２は、実体構造であり、浸入層３３と整合層３１との間に設置され、製造過程において溶融したポリエチレンが外側の整合層３１内に浸入することを止める。術後の治癒過程において、靭帯などの軟組織が多孔質構造の孔隙内に入るまで成長することができるため、術後の膝関節システムがより安定になることができる。
【００３７】
本実施例の弾性スペーサ１０は、関節を形成する２つの骨の間に独立して設置されてもよく、一定の緩衝及び摩耗低減の機能を奏して、骨の間の接触面積を増加させるという効果を達成することができる。
【００３８】
実施例２の関節スペーサプロテーゼは、実施例１に比べて、主に関節液通路の配置方式及び給液方式が変更されている。図８〜図１５に示すように、実施例２の弾性スペーサ１０において、弾性基体の下面に関節液収容溝が設置され、流入通路１３の開口が関節液収容溝の底部に設置され、図１４に示すように、弾性スペーサ１０が荷重によって押し付けられると、関節液収容溝とスペーサ基体２０との間に密封空間が形成され、関節液が上向きに収容室１１及び流通路１２を通過して第１の接触面に排出され、第１の接触面と大腿骨顆部との間の摩擦を低下させることができ、図１３に示すように、弾性スペーサ１０の受けた荷重が消えると、弾性基体が復元し、関節液収容溝とスペーサ基体２０とが分離して関節液通路内に負圧が形成され、関節液が流入通路１３を通過して収容室１１及び流通路１２に入ることができる。このように、膝関節が動くときに関節液が補給されて摩擦面へと注入されるという循環を達成することができる。
【００３９】
図１５に示すように、本実施例のスペーサ基体２０の底面に流通溝２６が設置され、収容溝２１の底部に連通孔２７が設置され、流通溝２６と連通することにより、関節液が流通溝２６及び連通孔２７を通過して収容溝２１に入ることができる。
【００４０】
好ましくは、本実施例では、弾性スペーサ１０の弾性、硬さの分布が人体の本来の軟骨組織により近いように、同一の収容室層内にある複数の収容室１１の容積が中央部から縁部へと徐々に小さくなる。
【００４１】
実施例１及び実施例２の関節スペーサプロテーゼは、双顆膝関節置換術に適用され、実施例３の関節スペーサプロテーゼは、単顆膝関節置換術に適用され、その全体構造が実施例１及び実施例２の関節スペーサプロテーゼに類似し、ここで説明を省略する。
【００４２】
実施例４の関節スペーサプロテーゼは、大腿骨顆部の代替物であり、単顆膝関節置換術に適用され、スペーサ基体２０が大腿骨顆部４に設置され、弾性スペーサ１０がスペーサ基体２０に設置される。
【００４３】
本願はさらに、関節プロテーゼを提供し、図９〜図１１に示すように、本実施例の関節プロテーゼは、関節スペーサプロテーゼ２、脛骨プラトープロテーゼ３及び大腿骨顆部プロテーゼ１を含む膝関節プロテーゼである。関節スペーサプロテーゼ２は、上記技術的特徴の一部又は全部を含む関節スペーサプロテーゼであり、本実施例の関節プロテーゼは、接触面の間の圧力度が小さく、耐用年数が長いという利点を有する。
【００４４】
理解できるように、本実施例の技術的思想を肩関節、寛骨関節などの他の関節構造に応用することもできる。
【００４５】
以上の説明から分かるように、本発明の上記実施例は、以下の技術的効果を達成する。
【００４６】
弾性スペーサ内に所定の方式で関節液通路を配置し、弾性基体の硬さが中央部から縁部に向かって徐々に上昇するとともに、弾性が中央部から縁部に向かって徐々に低下するように、関節液通路の断面形状、孔径、長さ、容積、位置及び配置方向並びに疎密度などのパラメータを調整することにより、弾性スペーサにおける各々異なる所定の部位で異なる弾性及び硬さ指標を実現し、弾性スペーサをできるだけ人体の関節の力学的特性に接近させるようにして、関節が動く時に弾性スペーサと関節骨とを十分に接触させ、さらに接触面の間の圧力度を理想的な範囲内に保持し、関節スペーサプロテーゼの使用効果及び耐用年数を保証することができる。
【００４７】
以上の記載は、本発明の好ましい実施例に過ぎず、本発明を限定するものではなく、当業者であれば、本発明に対する様々な変更と変化を行うことができる。本発明の精神及び要旨を逸脱しない範囲において行われる任意の修正、等効置換、改良などは、いずれも本発明の保護範囲内に含まれるべきである。
【符号の説明】
【００４８】
１、大腿骨顆部プロテーゼ、２、関節スペーサプロテーゼ、３、脛骨プラトープロテーゼ、４、大腿骨顆部、５、膝蓋骨構造、１０、弾性スペーサ、１１、収容室、１１ａ、収容室、１１ｂ、収容室、１１ｃ、収容室、１２、流通路、１２ｂ、流通路、１２ｃ、流通路、１２ｄ、流通路、１３、流入通路、１４、逆止弁、１５、位置決め凸部、２０、スペーサ基体、２１、収容溝、２３、補強リング収容溝、２５、位置決め溝、２６、流通溝、２７、連通孔、２８、連通通路、２９、膝蓋骨溝、３０、補強リング、３１、整合層、３２、隔離層、３３、浸入層。
【図１】
2021514685.tif 000003
【図２】
2021514685.tif 000004
【図３】
2021514685.tif 000005
【図４】
2021514685.tif 000006
【図５】
2021514685.tif 000007
【図６】
2021514685.tif 000008
【図７】
2021514685.tif 000009
【図８】
2021514685.tif 000010
【図９】
2021514685.tif 000011
【図１０】
2021514685.tif 000012
【図１１】
2021514685.tif 000013
【図１２】
2021514685.tif 000014
【図１３】
2021514685.tif 000015
【図１４】
2021514685.tif 000016
【図１５】
2021514685.tif 000017
【図１６】
2021514685.tif 000018
【図１７】
2021514685.tif 000019
【国際調査報告】
2021514685.tif 000020
2021514685.tif 000021
2021514685.tif 000022
2021514685.tif 000023
2021514685.tif 000024
2021514685.tif 000025